(57)【要約】【課題】筆記体の交換時以外で開口部が不用意に開口することがなく、また、開口部を迅速且つ容易に開閉させることができ、しかも、蓋部が紛失することがない多芯筆記具を提供する。【解決手段】軸筒２の後端に、各々の窓孔２２を後方に開口させる開閉自在の開口部２３を設け、開口部２３を介して筆記体４及び操作体５を連結状態で軸筒２内から取り外し可能且つ軸筒２内に挿入可能に構成する。軸筒２の後端部に、開口部２３を開閉自在とする蓋部７を設ける。蓋部７を、軸線に対して垂直方向に回動可能に軸筒２の後端に固定する。蓋部７の回動中心を軸筒２の軸心から離れた箇所に配置する。蓋部７の回動中心に係合部８を設け、一方、軸筒２後端の、蓋部７の回動中心が位置する箇所に係合部８と係合可能な被係合部３を設ける。【選択図】  図２
2010094877.tif 000002
【特許請求の範囲】
【請求項１】
軸筒内に複数の筆記体を前後方向に移動可能に収容し、前記各々の筆記体を弾発体により後方に付勢し、前記各々の筆記体の後端に操作体を取り付け、前記軸筒の側壁に軸方向に延びる複数の窓孔を径方向に貫設し、前記各々の窓孔から径方向外方に前記各々の操作体を突出させ、一つの操作体を窓孔に沿って前方にスライドさせることにより、その一つの操作体が取り付けられた筆記体のペン先を軸筒の前端孔から突出させるとともに、先に突出状態にあった他の筆記体のペン先を軸筒内に没入させてなり、
前記軸筒の後端に、前記各々の窓孔を後方に開口させる開閉自在の開口部を設け、
前記開口部を介して筆記体及び操作体を連結状態で軸筒内から取り外し可能且つ軸筒内に挿入可能に構成し、
前記軸筒の後端部に、前記開口部を開閉自在とする蓋部を設けた多芯筆記具であって、
前記蓋部を、軸線に対して垂直方向に回動可能に軸筒の後端に固定し、前記蓋部の回動中心を軸筒の軸心から離れた箇所に配置したことを特徴とする多芯筆記具。
【請求項２】
前記蓋部の回動中心に係合部を設け、一方、軸筒後端の、前記蓋部の回動中心が位置する箇所に前記係合部と係合可能な被係合部を設け、前記係合部と被係合部とが係合することにより、蓋部が軸筒後端に回転可能に抜け止め固定される請求項１記載の多芯筆記具。
【発明の詳細な説明】
【技術分野】
【０００１】
本発明は、多芯筆記具に関する。詳細には、軸筒の側壁の窓孔から突出する操作体を前方にスライドさせることにより、軸筒内部に収容した筆記体のペン先を軸筒の前端孔から出没させる多芯筆記具に関する。
【背景技術】
【０００２】
特許文献１には、軸筒の後端に、窓孔を後方に開口させる開閉自在の開口部を設け、前記開口部を介して筆記体及び操作体を、軸筒内から取り外し可能且つ軸筒内に挿入可能に構成し、軸筒の後端部に、前記開口部を開閉自在とする蓋部を設けた多芯筆記具が開示されている。また、前記特許文献１には、前記蓋部を、ヒンジ部により略前後方向に回動自在に設け、前記蓋部の前面に係合部を設け、軸筒の後端に前記蓋部の係合部に係合可能な被係合部を設けた構成が開示されている。
【０００３】
特許文献２には、軸筒の後端に、窓孔を後方に開口させる開閉自在の開口部を設け、前記開口部を介して筆記体及び操作体を、軸筒内から取り外し可能且つ軸筒内に挿入可能に構成し、軸筒の後端部に、前記開口部を開閉自在とする蓋部を設け、前記蓋部に二個の係合部を設け、軸筒の後端部に、前記係合部と係合可能な二個の被係合部とを設けた多芯筆記具が開示されている。また、前記特許文献２には、蓋部を周方向に回転操作することにより、蓋部の係合部と軸筒の被係合部との係合及び係合解除を行うことが開示されている。
【０００４】
特許文献３には、軸筒の後端に、窓孔を後方に開口させる開閉自在の開口部を設け、前記開口部を介して筆記体及び操作体を、軸筒内から取り外し可能且つ軸筒内に挿入可能に構成し、軸筒の後端部に、前記開口部を開閉自在とする蓋部を着脱自在に螺着した多芯筆記具が開示されている。
【０００５】
【特許文献１】特開２００７−３８６３５号公報
【特許文献２】特開２００７−１５２７５号公報
【特許文献３】特開２００７−１５２７４号公報
【発明の開示】
【発明が解決しようとする課題】
【０００６】
前記特許文献１の多芯筆記具は、繰り返しの係合及び係合解除（即ち開口部の繰り返しの開閉）によって、係合部と被係合部との係合が緩くなるおそれがあり、その場合、ペン先没入状態の筆記体の操作体が蓋部に当接するだけで、係合部と被係合部との係合が簡単に解除されるとともに蓋部が後方に回動し、筆記体の交換時以外で開口部が不用意に開口するおそれがある。
【０００７】
前記特許文献２の多芯筆記具は、軸筒の後端の開口部を開口させた際、蓋部が軸筒から分離されるため、蓋部を紛失させ易い。また、前記特許文献２の多芯筆記具は、蓋部と軸筒とが二箇所の係合部及び被係合部において係合されるため、蓋部と軸筒との係合操作が容易ではない。
【０００８】
前記特許文献３の多芯筆記具は、蓋部の着脱（即ち開口部の開閉）を迅速に行うことができない。また、前記特許文献３の多芯筆記具は、前記特許文献２の多芯筆記具と同様、軸筒の後端の開口部を開口させた際、蓋部が軸筒から分離されるため、蓋部を紛失させ易い。
【０００９】
本発明は、前記従来の問題点を解決するものであって、筆記体の交換時以外で開口部が不用意に開口することがなく、また、開口部を迅速且つ容易に開閉させることができ、しかも、蓋部が紛失することがない多芯筆記具を提供しようとするものである。尚、本発明において、「前」とはペン先側を指し、「後」とはその反対側を指す。
【課題を解決するための手段】
【００１０】
[１]本願の第１の発明は、軸筒２内に複数の筆記体４を前後方向に移動可能に収容し、前記各々の筆記体４を弾発体６により後方に付勢し、前記各々の筆記体４の後端に操作体５を取り付け、前記軸筒２の側壁に軸方向に延びる複数の窓孔２２を径方向に貫設し、前記各々の窓孔２２から径方向外方に前記各々の操作体５を突出させ、一つの操作体５を窓孔２２に沿って前方にスライドさせることにより、その一つの操作体５が取り付けられた筆記体４のペン先４１を軸筒２の前端孔２１から突出させるとともに、先に突出状態にあった他の筆記体４のペン先４１を軸筒２内に没入させてなり、前記軸筒２の後端に、前記各々の窓孔２２を後方に開口させる開閉自在の開口部２３を設け、前記開口部２３を介して筆記体４及び操作体５を連結状態で軸筒２内から取り外し可能且つ軸筒２内に挿入可能に構成し、前記軸筒２の後端部に、前記開口部２３を開閉自在とする蓋部７を設けた多芯筆記具であって、前記蓋部７を、軸線に対して垂直方向に回動可能に軸筒２の後端に固定し、前記蓋部７の回動中心を軸筒２の軸心から離れた箇所に配置したことを要件とする。
【００１１】
前記第１の発明の多芯筆記具１は、蓋部７が前後方向に開閉作動する構造ではなく、蓋部７が軸線に対して垂直方向に開閉作動する構造であるため、繰り返しの開口部２３の開閉を行っても、筆記体４の交換時以外で開口部２３が不用意に開口することがない。また、前記第１の発明の多芯筆記具１は、蓋部７の僅かの回動操作（即ち１回転以内の回転操作）によって、開口部２３を開閉できるため、開口部２３の開閉を迅速且つ容易に行うことができる。また、前記第１の発明の多芯筆記具１は、開口部２３を開口させた状態でも蓋部７が分離されないため、蓋部７が紛失することがない。
【００１２】
[２]本願の第２の発明は、前記第１の発明の多芯筆記具１において、前記蓋部７の回動中心に係合部８を設け、一方、軸筒２後端の、前記蓋部７の回動中心が位置する箇所に前記係合部８と係合可能な被係合部３を設け、前記係合部８と被係合部３とが係合することにより、蓋部７が軸筒２後端に回転可能に抜け止め固定されることを要件とする。
【００１３】
前記第２の発明の多芯筆記具１は、蓋部７を軸筒２後端に確実に回動可能に固定できる。尚、前記係合部８及び被係合部３の具体的な形状は、例えば、係合部８が孔であるとき、被係合部３が前記孔に係合可能な突起である構成、または、前記係合部８が突起であるとき、被係合部３が前記突起に係合可能な孔である構成が挙げられる。
【発明の効果】
【００１４】
本発明の多芯筆記具は、筆記体の交換時以外で開口部が不用意に開口することがなく、また、開口部の開閉を迅速且つ容易に行うことができ、しかも、蓋部が紛失することがない。
【発明を実施するための最良の形態】
【００１５】
図１乃至図４に本発明の実施の形態を示す。
本実施の形態の多芯筆記具１は、軸筒２内に複数本（ここでは２本）の筆記体４が収容され、前記各々の筆記体４のペン先４１が軸筒２の前端の前端孔２１より選択的（択一的）に出没される。前記各々の筆記体４の後端部には、操作体５が取り付けられる。前記各々の筆記体４は、弾発体６（コイルスプリング）により後方に常時付勢されている。前記筆記体４は、例えば、ボールペン、マーキングペン、シャープペンシル等が挙げられる。
【００１６】
前記軸筒２は、円筒状の前軸２ａと、該前軸２ａに着脱自在に螺合される円筒状の後軸２ｂとからなる。前記前軸２ａ及び後軸２ｂは、合成樹脂または金属材料からなる。
【００１７】
前記前軸２ａの前端部は、先細状に形成され、前記前軸２ａの前端に前端孔２１が軸方向に貫設される。前記前軸２ａの後端部外周面には、雄ねじ部が形成される。
【００１８】
前記後軸２ｂの前端部内周面には、雌ネジ部が形成される。前記雌ネジ部に、前記前軸２ａの雄ねじ部が螺合される。前記後軸２ｂの後端部外面には、クリップ２４が設けられる。
【００１９】
前記後軸２ｂの後端部側壁には軸方向に延びる複数の窓孔２２が形成される。前記各々の窓孔２２から各々の筆記体４の操作部５１が外部に突出される。前記各々の操作部５１を窓孔２２に沿って前方にスライド操作することによって、各々の筆記体４のペン先４１が選択的に前端孔２１より前方に突出される。前記後軸２ｂの窓孔２２相互間の側壁内面には、係止壁部（図示せず）が一体に形成される。前記係止壁部に、ペン先突出状態の筆記体４の後端に取り付けられた操作体５の後端が係止される。
【００２０】
前記後軸２ｂの後端には、窓孔２２を後方に切り欠き状に開口する開口部２３が形成される。また、前記後軸２ｂの後端には、前記開口部２３を開閉自在にする蓋部７が取り付けられる。前記開口部２３を介して、操作体５を備えた筆記体４を軸筒２内に挿入且つ軸筒２内から取り外し可能（交換可能）である。
【００２１】
前記蓋部７は、軸筒２の後端を覆う板状の本体７１と、該本体７１の径方向外方に一体に延設される突出片７２とからなる。前記突出片７２には、軸方向に取付孔８（係合部）が貫設される。前記取付孔８の内面は、大内径部８１と、該大内径部８１の前方に形成される小内径部８２と、該大内径部８１と小内径部８２との間に形成される段部８３とを備える。前記蓋部７の突出片７２と反対側端部の外周面には、係合溝７３が形成される。
【００２２】
軸筒２のクリップ２４に基部の後端面には、回動軸３（被係合部）が後方に一体に突出される。前記回動軸３の外周面には、係止突起３１が形成される。前記回動軸３は、径方向に弾性変形可能に軸方向に切り割り３２を有する。前記回動軸３が、前記蓋部７の取付孔８に挿入され、前記係止突起３１が、取付孔８内面の段部８３に抜け止め係止される。前記蓋部７は、回動軸３と取付孔８との係合により、前記回動軸３を回動中心として回動可能に固定される。前記蓋部７の回動中心（回動軸３）は、軸筒２の軸心から離れた箇所に配置される。また、前記軸筒２の後端の回動軸３と反対側端部には、前記蓋部７の係合溝７３と係合可能な係合突起２５が形成される。
【００２３】
前記蓋部７の前面には、ペン先没入状態の筆記体４に取り付けられた操作体５の後端が当接可能な当接壁部７４が構成される。
【００２４】
図３に、本実施の形態の開口部２３を閉鎖した状態を示す。
蓋部７を軸筒２に対して回動させ、蓋部７と軸筒２の後端全体とを重ねることより、軸筒２の後端の全ての切り欠き状の開口部２３が閉鎖される。
【００２５】
図４に、本実施の形態の開口部２３を開口した状態を示す。
蓋部７を軸筒２に対して回動させ、軸筒２後端の一つの開口部２３が開口される。前記開口状態の開口部２３を介して筆記体４及び操作体５を連結状態で軸筒２内から取り外し可能且つ軸筒２内に挿入可能となる。
【図面の簡単な説明】
【００２６】
【図１】本発明の実施の形態の開口部の閉鎖状態を示す縦断面図である。
【図２】図１の多芯筆記具の側面図である。
【図３】（１）は本発明の実施の形態の開口部の閉鎖状態を示す平面図であり、（２）は本発明の実施の形態の開口部の閉鎖状態を示す要部縦断面図である。
【図４】（１）は本発明の実施の形態の開口部の開口状態を示す平面図であり、（２）は本発明の実施の形態の開口部の開口状態を示す要部縦断面図である。
【符号の説明】
【００２７】
１  多芯筆記具
２  軸筒
２１  前端孔
２２  窓孔
２３  開口部
２４  クリップ
２５  係合突起
２ａ  前軸
２ｂ  後軸
３  回動軸（被係合部）
３１  係止突起
３２  切り割り
４  筆記体
４１  ペン先
５  操作体
５１ 操作部
６  弾発体
７  蓋部
７１  本体
７２  突出片
７３  係合溝
７４  当接壁部
８  取付孔（係合部）
８１  大内径部
８２  小内径部
８３  段部
【図１】
2010094877.tif 000003
【図２】
2010094877.tif 000004
【図３】
2010094877.tif 000005
【図４】
2010094877.tif 000006